(57)【要約】【課題】本発明ではホール管理者以外に遊技機の扉が開錠されないような安価で組立容易なる１体型でコンパクトな不正開錠防止機構で不正解除を確実に防止するパチンコ遊技機（パチスロも含む）用施錠機構の提供するも、又将来キーなしリモコン等の手段で遠隔操作も簡単に装着を可能としたスペースを残して対応可能としている。【解決手段】鍵機構本体10において、省スペースでコンパクト化を図る為ベースブラケットにフックブラケット及びロックブラケットが指定の位置に堅牢に加締めを行いユニット化され、１体型で構成される様にユニット化されている。又、これに対峙するクランプの際の固定ブラケットは遊技台の本体に二次等で取り付けが可能で、位置合わせに必要なスライド調整可能な取り付け板を持ち自由に取り付け可能である。この為パチンコ遊技機（パチスロも含む）全般に幅広く採用可能であり、これらを早期実施に移行により、少なからず地球環境に優しい産業形態になることが期待できる。尚本発明の形態により将来外部からのキーの挿入が無くても電動モーターを固着し制御する事が本装置では可能で市場のニーズがあれば即対応がリモコン操作を可能としている。更にセキュリテ−問題を鑑みフックブラケット及びロックブラケット等に裏面からの不正操作が出来ないよう防護カバーをも取り付け可能とした。【選択図】図1
2005144071.tif 000002
【特許請求の範囲】
【請求項１】
パチンコ遊技機及スロットマシンの本体に固着される固定ブラケットシャフトと前面の飾り扉は前面に凹凸状に複雑な形状を有して下方に向かい次第にその凸部が大きく変化して形成された前面扉で左端の１部を回転軸枢軸として、本体に開閉可能なに取り付けている遊技機ロック機構において、
上記前面飾り扉上部右端の１ヶ所若しくは２ヶ所に分割した施錠機構を設けた該鍵ロック機構の鍵操作機構を敷設した事を特徴とする遊技機。
【請求項２】
請求項1に記載のパチンコ遊技機及びスロットマシンの鍵機構において現行は殆どが鍵竿形式の長い竿がスライド若しくはリンク機構にて構成されているが、ベースブラケット上に、ロックブラケットとフックブラケットを配置し、ハーフロック状態に対峙した、フックブラヶットで構成される。このロックブラケットが回動可能なハーフロック状態からフルロック状態に回動されるこの鍵ロック機構をＵｎｉｔ化して在来の鍵構造とは縦長から前後方向に付設し堅牢で安全性を確保された一体構造であることを特徴とするパチンコ遊技機用（パチスロも含む）鍵ロックの機構。
【請求項３】
堅牢で且つコンパクトに1体化がされる、フックブラケット及びロックブラケットに対峙して固定ブラッケットで構成され、この固定ブラケットにはクランプするに最良のロックシャフトがロータリースピン方式等で堅牢に加締め形成されている状態で構成されていることを特徴とする鍵ロック機構。
【請求項４】
請求項3記載の固定ブラッケット25のロックシャフト25aには外周部にウレタンゴム或は合成樹脂等の皮膜25ｂを加硫もしくは射出成型などによる方法で形成されて、ロック及びフックブラッケットのクランプ部の回動部材にガッチリ挿入されそのロック及びフックブラケットに挿入時の衝撃及び衝撃音を回避する目的で堅牢な鉄芯材にインサートされ１体成型されたことを特徴としたパチンコ遊技機及びスロットマシンの鍵ロック機構。
【請求項５】
前記請求項2に記載の鍵機構のユニットに、セキュリテ−問題との絡み本体の連環係止部又はその係止部を連動する部品の全面或は一部、側方から覆う様にユニット本体の片面に張り合わせ、防犯保護カバー24を簡単に付着することも可能としたことを特徴とするパチンコ遊技機及びスロット遊技機に使用する鍵機構ユニット。
【請求項６】
本鍵機構ユニットを上下２ヶ所に分割しそれぞれ独立した形態で使用しマスターキーが１個で開錠可能とし更に安全上のため上下それぞれにマスターキーを差込んで開錠をする事又本鍵ユニット１個も取り付けした事を特徴としたパチンコ遊技機及びスロットマシン遊技機。
【発明の詳細な説明】
【技術分野】
【０００１】
本発明は、パチンコ遊技機及びスロットマシン遊技機鍵機構に関し前面扉枠が複雑に傾斜しており所定の割合で変化するように形成されたこの前面飾り扉の左右部の一方を軸として回動可能なセキュリテ−問題に対応した施錠機構、堅牢で安全性を重視の施錠を可能とした遊技機に関する。
【背景技術】
【０００２】
近年はパチンコ遊技機及びスロットマシンのゲーム性の複雑化又射好性に伴もない、セキュリテ−問題との絡みで益々安全で且つ堅牢な鍵ロック機構が叫ばれている、従来のパチンコ遊技機及びスロットマシンにおいて一般的にパチンコ遊技機用の鍵は外部から容易に外されること1つに前面扉枠の隙間からの突片状の部材での外部からの不正解除には対処出来ず、縦に長い鍵竿と称する縦長機構の使用されシリンダー錠で完全に締め付けているが掛る諸問題では未だ不十分と言わざるを得ないのが実情である。
【０００３】
遊技機パチンコに代表されるの前面扉枠が開閉可能に取り付けられ前面扉枠が施錠機構にて閉止状況に施錠され、外枠本体の左上部にヒンジで連結可能に取り付けられる。又他方の側縁部には施錠機構を前面扉枠に縦長式の鍵竿と称するフック状の部材などが係留され、外枠にはこのフックに対応した位置に被係止部材取り付けられている。前面扉枠30を押し込むとフックが被係止部材を乗り越え様に回動してから被係止部材に係合される。
又縦長式の鍵竿では所定の場所にリンク部材を回動し本体枠40で係合される。
セキュリテ−問題との関係で益々堅牢な鍵ロック機構が叫ばれているが、遊技機の台の幅方向スペースに限りがあり堅牢化に対しても限界があり、この領域内に如何に堅牢で且つ安全にするのが限界の状況である。
【０００４】
現行の鍵機構では前述の鍵竿と称して縦長方式の機構が主流で有るが各社三者三様の寸法で構成され、その鋼板製の板厚は1．2ｍｍ程度の強度の面からも、ぜい弱な機構で変形を伴なう、リンク機構及びスライド機構にも影響を及ぼし機能を完全発揮することが出来ない為、Ｒｅｃｙｃｌｅ及びＲｅｕｓｅの観点からすると必ずしも歓迎された機構ではなかった。
【０００５】
又シリンダー錠については各ホールの安全上の問題と相まって途中でのシリンダー錠の取り替えを余儀なくされ場合も間々ある為、その取り付け部は概ね各社同一寸法で形成されている。このようにシリンダー錠の外形寸法は各社、規格統一され安全上の問題が無ければ各ホールではＲｅｕｓｅされて問題ないが、鍵機構の本体ではまだまだそのレベルでは無いのが現実で、しかし乍、3Ｒ即ちＲｅｄｕｓｅ、Ｒｅｕｓｅ、Ｒｅｃｙｃｌｅの早期実施を各メーカーに推進しているも遅々として進まないのが現実である。
【０００６】
そこで、本発明はこれらの具体的な事柄の解決に向け在来のものとは全く異なった観点から、双方の利点を鑑み、これからの環境に優しい、3Ｒの推進に拍車を掛ける意味でこの提案を行い、更に強度上の問題も在来の縦長方式の鍵竿より更に鋼板の板厚を2倍程度に上げ、堅牢で且つコンパクトにまとめ、上方向にも、下方向にも回動し従来の技術により組立た場合では強度面ではパチンコ遊技機内部の遊技板に横方向の大きさが制限され強度面では確かに限界である為これ以上の発展が望めなかった。
【発明の開示】
【発明が解決しようとする課題】
【０００７】
ところで現在流通しているパチンコ遊技機及びスロットマシンでは、前面扉と外枠（本体）で構成されているが、前面扉30と外枠40の間にはスキマがある。このスキマから突片状の部材をこの隙間から不正に侵入させ、不正解錠される事があった。又遊技機の裏面よりカバーで覆い保護するものもあったが、これは島から台が取り外した場合の隣の台から不正操作を防ぐ為のもので有って、前面扉枠の隙間からの突片状の部材での外部からの不正解除には対処出来なかった。
【０００８】
しかし外枠は各社共概ね長方形をしており、その外形寸法が決まっており、鍵ロック機構で幅方向に余裕を取ることが台の遊技面積に影響する為寸法を大きく出来ず、現状の寸法内で数ミリの拡張が困難で、大幅に自由な寸法でのゲーム盤（遊技盤）作ることが出来なかった。しかし乍限られた遊技盤の領域内で各種の回転物あるいは固定物体の配置に限りがあり、頑強にすることは出来ないので各遊技台メーカーが改良に苦慮している。
堅牢でコンパクトにまとめることが更には１体型に構成するより、更に鋼板の板厚を2倍程度に上げ、安全で幅方向の薄型である為、横方向の大きさに制限が回避され、盤面が大きくなり、盤面の趣向が解決の出来るものとして大幅に期待が出来る。
【０００９】
本発明は以上のような事情を鑑み遊技盤を大きくして、セキュリテ−問題に絡む安全上の問題も解決する機構による、堅牢で安全な鍵ロック機構の装着可能になり省スペース形の変形の無い鍵機構を提供できる。
【００１０】
又本発明では鋼板製でユニット化し部品点数削減し構成している為、取り付けが簡単で安価に製造することが可能となる。又安全性も大幅に向上する鍵ロック機構である。
この機構が各社規格化され再使用出来れば更なる業界の発展に繋がる事が期待出来る。
【課題を解決するための手段】
【００１１】
本発明が遊技機の上述の目的を達成するための手段として、請求項1の鍵機構本体10において、省スペースでコンパクト化を図る為ベースブラケットに11、フックブラケット12、及びロックブラケット13、が指定の位置にそれぞれ回動させる為に加締めピン18でそれぞれ枢着し可動可能とし、対峙するフックブラケット12およびロックブラケット13にはそれぞれ12a,13aの引っ掛け穴を有し引きバネ15を互いに対峙した状態で引っ張りあって装着されている為フックブラケット12及びロックブラケット13の回動を容易に且つロックを安全に且つ簡単に出来る。
又ロックブラケット13を回動せしめるための直線運動を創生する為の送りカム16が左右に回動せしめることにより、直線運動に変換するスライドブラケット14がカシメピン19で枢着され直線運動を容易なる様している。
即ちスライドブラケット14ａの突起部でフックブラケット１２の連環部１２ａを動かしロックを解除する構造で、１体型で構成されるため且つ安全性に優れた施錠機構である。
又、ベースブラケット11には固定ブラケット25にロックシャフト25aが進入し易い様進入口11a敷設されている。この進入口11aに対峙するかたちで、遊技台本体40に取り付けされる固定ブラケット25にはロックシャフト25aが堅牢に装着されたものを遊技台の本体にネジ等で取り付けが可能で、位置合わせに必要なスライド調整可能な装着穴を設置してある為位置合わせが便利なる様に敷設されている。
【００１２】
請求項4に記載の固定ブラッケット25、にはロックシャフト25a、が固着さられているも、このロックシャフト25aの外周部にウレタンゴム又は合成樹脂等の皮膜20ｂを射出成型などによる手段で形成されて、ロックブラケット13及びフックブラッケット12のクランプ部にガッチリ挿入されそのロック及びフックブラケット12に挿入時の衝撃及び衝撃音を回避する目的で堅牢に１体成型されこの鍵ロック機構として装着可能である。
【００１３】
しかも、この固定ブラケット25にロックシャフトに枢着、嵌合、貫通を容易に作動されるようにロックシャフト20は1体型で金属製の軸そのまま使用することも可能である。
又マニュアル解錠用のオープンレバー12ａの突起部はスライドブラケット14の突起部14aに対峙しているのでシリンダー錠20aの回動するのを極力押えた構造で鍵20aの回動するに合わせ他方の回転軸25ｃにカム26を連関しネジ等で回転軸に固着している。このカム26の回動により回転運動を直線運動に切り替えフックブラケット12を可動しロックブラケット13の溝部13ｃより外れることにより解錠を容易にしている。
【発明の効果】
【００１４】
以上の説明したように、本発明はコンパクトで且つ堅牢に鍵機構をまとめることにより外部からの不正解錠を防止可能になる、コンパクトで有効スペースの利用が可能とした鍵構造でパチンコ遊技機及とスロットマシンの全般に亘り採用が可能となる。
また主要の部材が大幅に削減され、組立が簡単、高い組み付け精度維持し、部品点数を減らしした構造のため、組み付け工数の減少を図ることが出来る装置を得ることが実現可能としている。
又、横幅省スペース型でコンパクトになる分を有効に遊技盤のゲーム性を向上と同時に液晶画面の大型化が得られことより高度のゲームを提供できる利点がある。
【発明を実施するための最良の形態】
【００１５】
在来の鍵竿と称する縦長で縦方向長さ約500ｍｍ前後あり、幅方向でも在来のもでは有効幅が18ｍｍ〜25ｍｍで大幅にスペースを制限している、この観点からしてもユニット化で幅方向の厚みを8ｍｍ〜12ｍｍ程度で1ユニットを形成し一体構造にすることにより連環部の強度を損なわず堅牢で手のひらの大きさよりも小さく、コンパクト（縦90ｍｍｘ高さ80ｍｍｘ厚み10ｍｍ）で他に類を見ないコンパクトな鍵機構本体を実現した。
【実施例１】
【００１６】
本発明の実施形態について図面に基づいて説明する。
この種の鍵はセキュリティ問題を抱えているパチンコ遊技機及びスロットマシンの双方に装着されるものでは有るがスロットマシンにも特に有効であり同様に該当されるもので、図1には完成された組図10で本発明の全体図でベースブラケット11にフックブラケット12はオープンレバー状態で固定ブラケット25のクランプシャフト25aが進入がし易いようにオープン状態になっている、即ちクランプシャフトが挿入されない前の状態での平面図を示す。
【００１７】
図2には上記実施形態の作動状態よりロックブラケット13の溝部13aにロックシャフト25aが進入した状態であり、ベースブラケット挿入口11aに対峙したロックブラケット13a部に最初にストライカーする状態図を示す。
図3は図2に示した固定ブラケット25のロックシャフト25aがロックブラケット13及びフックブラケット12が回動されロックブラケット13a部にシックリ嵌り込んだ状態を示し前扉が完全に閉まり込んだ時の形態図である。
【００１８】
図4はロックブラケット13の凹部13ｃにフックブラケット12の凸部12cに互いに噛み込み状態になることにより完全に固定ブラケット25のロックシャフト25aが噛み込み、施錠状態を示した状態図である。
【００１９】
図5では本発明の鍵機構において、セキュリティ問題対応の安全防護カバーを除く各部品組み付け前の分解斜視図である。
これによるとそれぞれの部品が組みつけ場所及び組み付け順の1例を示す。
【００２０】
図6では実施例の図1に示した前面扉飾りがロック機構が解錠され完全にオープン状態になっている斜視図である。ここでは固定ブラケット25のロックシャフト25aがロックブラケット13ｃ部にストライカーする前の状態を示す。
【００２１】
図7では実施例の図5〜図6で示した本発明の連動に重要な役割を果たす送りカム21と直線運動に変換するスライドブラケット14の連関状態を示す。ここでは送りカム21がシリンダー錠鍵20ａ左に回動するとスライドブラケット14をここでは矢印上方向にリニヤ−駆動されスライド溝14ｃ可動することになる、稼働し寸法のみスライドの突起部14a移動する、この移動するバランスを取る1つの手段として、ばねホルダー15の内部に挿入されている押しばね17が上下に付設され適当なバランスを取る機構図を示す。
【００２２】
図8には実施例の図2で示した固定ブラケット25のロックシャフト部25aがロックブラケットのストライカー部13ｄに完全衝突した状態での斜視図である。この状態ではオープン状態では鍵はアンロック状態で完全解錠の状態を示している。
【００２３】
図9では図8の状態のオープン状態から更にストライカー部13ｄ押し出しロックブラケット13がカシメピン18の周りを回動しロックシャフト25aを挟み込む形態でロックブラケットの溝部13ｃに固定され完全に施錠状態となる。解錠する場合は図8で示したように、この時はフックブラケット12の突起部12ｃとロックブラケット13の凹部13ｃから完全に外れ解錠されることになる。この場合固定ブラケット25はスプリングの作動で進入口１１ａの外側に放出され、前面扉が開く状態に戻ることになる。
【００２４】
図10では図9で示した斜視図で組み付け状態から取り付け部品を1部分解し斜視図である。
図11ではこれまで説明した鍵機構のユニット化した本発明品を具体例の1つとしてスロットマシンの前扉30に鍵機構ユニット10を扉上部に取り付け取り付けビス24で扉裏面の所定の場所30aに取り付けている。この際突起部にネジ穴を設けてありベースブラケットに敷設してある数箇所の穴よりネジ穴に固定されることにより鍵機構ユニットが固定される。この場合鍵機構ユニット10は分離式のため、ここでは上下いずれか1ヶ所のタイプの実施例を示すも必要に応じ下方のいずれかの任意の1ヶ所30ｃでも良い。
【００２５】
図12では図11で示した1ロック1キーに対しセキュリテ−問題に絡み安全性を考慮した、2ロック2キータイプとし上下2ヶ所に配置した実施例を示す。
【００２６】
図12においては合理性を重視した物として上下2ヶ所に鍵機構ユニット10を配備するが、開錠キー２０ａを外からは１ヶ所として、内部で２個の鍵ユニットで互いにワイヤー或は板金等で上下のユニットを連係し連動させることも可能である。
又、図13にはスロットマシンの本体40に取り付け施錠された状態で上下の鍵ユニットが１つのキー20aで上下の鍵ユニット連関可能とした動作手段の取り付けた１例を示す。
【００２７】
図14では鍵ユニットの図1〜図4に示したオープン開錠状態から施錠状態の作動原理状態を斜線部で示し、パチンコ遊技機のロック状態スライドブラヶット14の上下移動でこれに付設した突起部１４ａが上方向に連動するとフックブラケット12ｆで押し上げるこのフックブラケットが斜線部１２ｅまで押し上げ、ロックブラケット13の凹部13ｃが外れ本ブラケットの破線部13ｆの状態になり完全解除になる、この時固定ブラケットのロックシャフト25aが25ｆから25eに移動している状態を示す実施例である。
【００２８】
図15では在来のパチンコ遊技機における外枠45に本考案の鍵ユニットを取り付けた１事例であるがこの外枠にはロックシャフト25aを枢軸とした固定ブラケット25をネジなどで外枠に装着した状態で、また上方には鍵ユニット10が固定ブラッケットに係留された状態でシリンダー錠とキーを参考まで付設したことを示した。
又図16では図15で示したパチンコ遊技機の扉に係留される中枠35に本発明の鍵ユニット10を取り付け固定保持穴35aに挿入しネジ類で固定した1事例を示す。
【００２９】
図17では前述のセキュリテ−問題を鑑み、裏面から不正解除にも対処した例えば前扉と外枠の間に突片状の部材等を隙間から不正に侵入させ、不正解錠が不可能に向け防護カバー24を完成された鍵ユニット10の裏面の装着する為、ベースブラケット11に枢着されるフックブラケット12にカシメピン18にはネジ穴18aを設けて保護カバー24にはネジ24eを貫通する為の穴24aを設け本体と係留するための19aに連関している。又ロックブラケット13の枢着されるピン18にも同様の係留をしている。
又保護カバー24の他方の端部には係留をより頑強にする凸状突起24dを付設し、ベースブラッケット11に設けた凹状の穴11ｄを設けているに貫通し前述ネジと合わせ頑強で容易に外され無い様加締め等の手段で係留している。ここでの1例はネジとしたが枢軸部18を更に頑強に加締めの手段でも可能である。
【００３０】
図18では前述の図17での事例での防護カバーを鍵機構ユニット10のベースブラケット11に加締め又はネジ等の手段装着された形態を表した具体的な事例を示す。
【産業上の利用可能性】
【００３１】
主要の部材であるベースブラケット11、フックブラケット12、ロックブラケット13、スライドブラケット14、など主要連関部は強度を考慮し板厚を従来比約2倍にアップし堅牢なる鍵機構を得るため鋼板構造を採用することによりセキュリテ−問題になる遊技機の全般に渉り使用可能とする為、鍵機構の緒元及び構造を全面的に変えて従来よりも頑強に施錠されるのでパチンコ遊技機及びスロットマシンの双方に採用が可能で更にパチンコ遊技機とスロット機を融合させた混合遊技機も挙げられるがこの他に扉の大小に関わらず本発明の鍵機構ユニットを独立させ取り付けしている為、1ユニットでも２ユニットでも使用可能で遊技機の全てに取り付け可能で有るゆえ、アミュウズメントホールでの個々のキーが必要で無いのでパチンコ機とスロット機双方の兼用可能のために操作面、安全上の問題及び維持管理面での合理化が確立される。
【図面の簡単な説明】
【００３２】
【図１】実施例で示している鍵機構解錠状態での平面図を示す。
【図２】実施例で示している鍵機構施錠直前の平面図を示す。
【図３】実施例で示している鍵機構ロック後の形態平面図を示す。
【図４】実施例で示している鍵機構完全ロック状態の平面図を示す。
【図５】実施例に示している本発明の鍵Unit部品分解斜視図である。
【図６】実施例に示している図1における状態での斜視図である。
【図７】実施例に示している回転から直線運動に変換機構の斜視図である。
【図８】実施例に示している図2における状態での機構状態の斜視図である。
【図９】実施例の事例に示した図3における完全ロック状態での斜視図である。
【図１０】実施例に示した図9での1部の部品の分解斜視図である。
【図１１】実施例に示した外枠本体と1ロック１キーにおける扉の装着斜視図である。
【図１２】実施例に示した外枠本体の2ロック2キータイプの装着斜視図である。
【図１３】パチンコ遊技機外枠本体と２ロック１キータイプの閉扉状態斜視図である。
【図１４】図1〜4に示す回動されロック及び解錠状態を示す作動平面図である。
【図１５】パチンコ遊技機の外枠に取り付け事例での斜視図を示す。
【図１６】図15に示した扉側中枠に鍵ユニットを取り付けした事例斜視図。
【図１７】鍵ユニットに保護カバーを取り付ける分解斜視図である。
【図１８】図18で示した保護カバーを組み立完了した１事例の斜視図である。
【符号の説明】
【００３３】
１０  鍵機構ユニット完成品
１１  ベースブラケット
１１ａベースブラケット進入口
１１ｂベースブラケット取り付け穴
１１ｃベースブラケット取り付け穴
１１ｄベースブラケット取り付け穴
１２  フックブラケット
１２ａフックブラケット引っ掛け穴
１２ｂフックブラケット枢軸穴
１２ｃフックブラケットオープンレバー凸部
１３  ロックブラケット
１３ａロックブラケット引っ掛け穴
１３ｂロックブラケット枢軸穴
１３ｃロックブラケット凹部
１３ｅロックブラケットストライカー部
１４  スライドブラケット
１４ａスライド突起部
１４ｂカム連関穴
１４ｃ押しばね凸部
１５  ばねホルダー
１６  引っ張りばね
１７  押出しばね
１８  加締めピン
１９  加締めピン
２０  シリンダー錠
２０ａシリンダーキー
２０ｂシリンダーキー挿入穴
２０ｃ取り付け穴
２１  シリンダーカム
２２  皿ビス
２３  ナベネジ
２４  防護カバー
２４ａ防護カバー取り付け穴
２４ｂ加締め凸部
２５  固定ブラケット
２５ａロックシャフト
２５ｂロックシャフト皮膜樹脂
３０  前面扉枠
３０ｂ鍵固定リブ
３５  中枠
３５ａ中枠鍵取り付け挿入穴
４０  本体
４０ａ上蝶番
４０ｂセフティカバー
４５  外枠
【図１】
2005144071.tif 000003
【図２】
2005144071.tif 000004
【図３】
2005144071.tif 000005
【図４】
2005144071.tif 000006
【図５】
2005144071.tif 000007
【図６】
2005144071.tif 000008
【図７】
2005144071.tif 000009
【図８】
2005144071.tif 000010
【図９】
2005144071.tif 000011
【図１０】
2005144071.tif 000012
【図１１】
2005144071.tif 000013
【図１２】
2005144071.tif 000014
【図１３】
2005144071.tif 000015
【図１４】
2005144071.tif 000016
【図１５】
2005144071.tif 000017
【図１６】
2005144071.tif 000018
【図１７】
2005144071.tif 000019
【図１８】
2005144071.tif 000020